(57)【要約】【課題】ユーザ自身が乗車予定時刻を設定しなくても、ユーザ自身が乗車予定時刻を設定しなくても、状況に応じた適切なタイミングから事前空調を開始できる車両用空調装置及び車両用空調装置の制御方法を提供する。【解決手段】車両に搭載される空調装置（１）は、空調空気を車室内に供給する空調部（２）と、車両が駐車されている間にその車両周囲の状況に関する状態を表す少なくとも一つの状態情報に基づいて出発時刻を推定する出発時刻推定部（５３）と、出発時刻推定部（５３）により推定された出発時刻よりも所定期間前の時刻を事前空調開始時刻として決定する事前空調開始時刻決定部（５４）と、現在時刻が事前空調開始時刻になると空調部（２）の空調制御を開始する空調制御部（５５）とを有する。【選択図】図１
2010234905.tif 000002
【特許請求の範囲】
【請求項１】
車両に搭載される空調装置であって、
空調空気を車室内に供給する空調部（２）と、
前記車両が駐車されている間に該車両周囲の状況に関する状態を表す少なくとも一つの状態情報に基づいて前記車両が走行開始する出発時刻を推定する出発時刻推定部（５３）と、
前記出発時刻推定部（５３）により推定された出発時刻よりも所定期間前の時刻を事前空調開始時刻として決定する事前空調開始時刻決定部（５４）と、
現在時刻が前記事前空調開始時刻になると前記空調部（２）の空調制御を開始する空調制御部（５５）と、
を有することを特徴とする空調装置。
【請求項２】
前記出発時刻推定部（５３）は、前記少なくとも一つの状態情報を定期的に確率モデルに入力することにより、前記車両が走行中である確率を前記出発時刻に関する確率として算出し、該確率が第１の閾値以上となる最初の時刻を前記出発時刻として推定する、請求項１に記載の空調装置。
【請求項３】
前記出発時刻推定部（５３）は、前記確率モデルに入力される状態情報のうち、前記車両の制御ユニットが動作停止中に取得可能な状態情報のみを前記確率モデルに入力して、複数の時刻について車両が走行中である確率を算出し、該確率が前記第１の閾値よりも低い第２の閾値以上となる最初の時刻を推定開始時刻として設定し、
前記推定開始時刻を過ぎると、前記確率モデルに入力される全ての状態情報を取得して、前記出発時刻を推定する、請求項２に記載の空調装置。
【請求項４】
前記出発時刻推定部（５３）は、前記少なくとも一つの状態情報を確率モデルに入力することにより、複数の時刻のそれぞれにおいて前記車両が走行開始する確率を前記出発時刻に関する確率として算出し、前記複数の時刻のうち、前記車両が走行開始する確率が最も高い時刻を前記出発時刻として推定する、請求項１に記載の空調装置。
【請求項５】
前記車両が走行開始する度に、該走行開始時の出発時刻と該出発時刻において取得された前記少なくとも一つの状態情報との組を過去出発時刻情報として記憶する記憶部（５１）をさらに有し、
前記出発時刻推定部（５３）は、前記記憶部（５１）に記憶された過去一定期間の過去出発時刻情報の中から、現在時刻において取得された前記少なくとも一つの状態情報の値に最も近い状態情報の値を持ち、現在時刻よりも後でかつ現在時刻に最も近い過去出発時刻情報に含まれる出発時刻を前記出発時刻として推定する、請求項１に記載の空調装置。
【請求項６】
空調空気を車両の車室内に供給する空調部（２）を有する空調装置の制御方法であって、
前記車両が駐車されている間に該車両周囲の状況に関する状態を表す少なくとも一つの状態情報を取得するステップと、
前記少なくとも一つの状態情報に基づいて該出発時刻を推定するステップと、
前記推定された出発時刻よりも所定期間前の時刻を事前空調開始時刻として決定するステップと、
現在時刻が前記事前空調開始時刻になると前記空調部（２）の空調制御を開始するステップと、
を含むことを特徴とする制御方法。
【発明の詳細な説明】
【技術分野】
【０００１】
本発明は、車両用空調装置及び車両用空調装置の制御方法に関し、特に、ドライバが乗車するよりも前に車室内の空調を実行可能な車両用空調装置及び車両用空調装置の制御方法に関する。
【背景技術】
【０００２】
従来より、車両には空調装置が搭載され、その空調装置によって車室内の温度は乗員にとって快適となるように調節可能となっている。しかし、車室内は、直接日光が照射されるため、空調装置が停止されていると酷暑期でなくとも非常に高温となり易い。また酷寒期では、空調装置により車室内が暖められるまで時間が掛かり、それまで乗員は寒さに耐えなければならない。そこで、乗員が車両に乗車するよりも前の一定期間、車室内を暖房または冷房可能な空調装置が開発されている（例えば、特許文献１〜３を参照）。
【０００３】
例えば、特許文献１に開示された電気自動車用事前空調装置は、走行距離、走行時間、所要電力量などの走行情報履歴と、走行開始時刻における車室内の熱環境予測値と、電池の充電状態と、走行開始時刻および目標車室内熱環境と、現在の時刻および熱環境とに基づいて乗員が事前空調の設定を行うための支援情報を表示する。そしてこの電気自動車用事前空調装置は、支援情報に対する事前空調の設定情報履歴に基づいて事前空調優先度を判定し、事前空調優先度に基づいて支援情報を変更するとともに空調装置の動作を補正する。またこの電気自動車用事前空調装置は、ユーザ自身が設定した搭乗予定時刻に応じて事前空調を実施する。
【０００４】
また特許文献２に開示された車両用空調装置は、車両に搭載されたＧＰＳ受信機によって受信したＧＰＳ情報と、乗員が携帯するリモコン発信機から受信した乗員のＧＰＳ情報とから、乗員から車両までの距離を推定し、推定した距離から乗員が車両に乗り込むまでの時間を推定する。次にこの車両用空調装置は、バッテリ残量を検出してバッテリ残量から事前空調可能時間を算出する。そしてこの車両用空調装置は、事前空調可能時間の方が乗員が乗り込むまでの時間よりも長い場合には、直ぐに事前空調を開始し、事前空調可能時間の方が乗員が乗り込むまでの時間よりも短い場合には、所定時間経過後に事前空調を開始する。
【０００５】
さらに特許文献３に開示された車両用空調装置は、事前空調を開始するか否かを判定するために、車室内の温度調整を行う温度調整手段に電力を供給する蓄電手段の蓄電量と、車室内の温度と、外気の温度と、目標温度と、温度調整手段の特性とに基づいて、温度調整手段によって車室内の温度を目標温度に調整可能か否かを判定し、その判定結果をユーザに通知する。その際、この車両用空調装置は、ユーザが所持する携帯端末から空調装置をＯＮにする信号を受信するか、ユーザ自身が設定した乗車予定時刻に基づいて算出された駆動開始時刻になると、事前空調を開始するか否かの判定処理を開始する。
【先行技術文献】
【特許文献】
【０００６】
【特許文献１】特開平９−１０９６４８号公報
【特許文献２】特開２００６−２９８０１５号公報
【特許文献３】特開２００６−２９０２４４号公報
【発明の概要】
【発明が解決しようとする課題】
【０００７】
上記の空調装置の何れも、事前空調を開始するために、ユーザ自身により乗車予定時刻が予め設定されるか、その空調装置とユーザが所持する携帯端末とが通信可能であることを必要とする。
しかし、乗車予定時刻を車両に乗車する前に毎回設定する作業は煩雑である。特に、一日の間に何度も車両を運転する場合には、その作業の煩雑さは顕著となる。またユーザは、天候、道路の混雑状況などの環境によって事前に設定した乗車予定時刻とは異なる時刻に乗車することもある。
また、車両が駐車されている場所またはユーザがいる場所の電波状況によっては、ユーザが所持する携帯端末と空調装置とが通信不可能なこともある。このような場合、空調装置は、事前空調開始時刻を特定することができないので、事前空調を適切に実行することができない。
【０００８】
そこで、本発明の目的は、ユーザ自身が出発時刻を設定しなくても、状況に応じた適切なタイミングから事前空調を開始できる車両用空調装置及び車両用空調装置の制御方法を提供することにある。
【課題を解決するための手段】
【０００９】
請求項１の記載によれば、本発明の一つの形態として、車両に搭載される空調装置が提供される。係る空調装置は、空調空気を車室内に供給する空調部（２）と、車両が駐車されている間にその車両周囲の状況に関する状態を表す少なくとも一つの状態情報に基づいて出発時刻を推定する出発時刻推定部（５３）と、出発時刻推定部（５３）により推定された出発時刻よりも所定期間前の時刻を事前空調開始時刻として決定する事前空調開始時刻決定部（５４）と、現在時刻が事前空調開始時刻になると空調部（２）の空調制御を開始する空調制御部（５５）とを有する。
係る構成を有することにより、この空調装置は、ユーザ自身が出発時刻を設定しなくても、状況に応じた適切なタイミングから事前空調を開始できる。
【００１０】
また請求項２の記載によれば、出発時刻推定部（５３）は、少なくとも一つの状態情報を定期的に確率モデルに入力することにより、前記車両が走行中である確率を前記出発時刻に関する確率として算出し、その確率が第１の閾値以上となる最初の時刻を出発時刻として推定することが好ましい。
このように、この空調装置は、車両が走行中である確率の時刻による遷移を調べることができるので、正確に出発時刻を推定できる。
【００１１】
さらに請求項３の記載によれば、出発時刻推定部（５３）は、確率モデルに入力される状態情報のうち、車両の制御ユニットが動作停止中に取得可能な状態情報のみを確率モデルに入力して、複数の時刻について車両が走行中である確率を算出し、その確率が第１の閾値よりも低い第２の閾値以上となる最初の時刻を推定開始時刻として設定し、推定開始時刻を過ぎると、確率モデルに入力される全ての状態情報を取得して、出発時刻を推定することが好ましい。
これにより、この空調装置は、出発時刻を推定するために車両の制御ユニットを動作させる期間を推定開始時刻以降に限定できるので、消費電力を抑制できる。
【００１２】
さらに請求項４の記載によれば、出発時刻推定部（５３）は、少なくとも一つの状態情報を確率モデルに入力することにより、複数の時刻のそれぞれにおいて車両が走行開始する確率を出発時刻に関する確率として算出し、それら複数の時刻のうち、車両が走行開始する確率が最も高い時刻を出発時刻として推定することが好ましい。
これにより、この空調装置は、複数の時刻のうち、車両が走行開始する確率が最も高い時刻を選択することができるので、正確に出発時刻を推定できる。
【００１３】
さらに請求項５の記載によれば、この空調装置は、車両が走行開始する度に、その走行開始時の出発時刻とその出発時刻において取得された少なくとも一つの状態情報との組を過去出発時刻情報として記憶する記憶部（５１）をさらに有し、出発時刻推定部（５３）は、記憶部（５１）に記憶された過去一定期間の過去出発時刻情報の中から、現在時刻において取得された少なくとも一つの状態情報の値に最も近い状態情報の値を持ち、現在時刻よりも後でかつ現在時刻に最も近い過去出発時刻情報に含まれる出発時刻を、事前空調開始時刻を決定するための出発時刻として推定することが好ましい。
これにより、この空調装置は、ユーザ自身の出発時刻の履歴から、現在の状況に最も近いものを利用することができるので、ユーザの普段の行動に応じて正確に出発時刻を推定できる。
【００１４】
さらに請求項６の記載によれば、本発明の他の形態として、空調空気を車両の車室内に供給する空調部（２）を有する空調装置の制御方法が提供される。係る制御方法は、車両が駐車されている間にその車両周囲の状況に関する状態を表す少なくとも一つの状態情報を取得するステップと、少なくとも一つの状態情報に基づいて出発時刻を推定するステップと、推定された出発時刻よりも所定期間前の時刻を事前空調開始時刻として決定するステップと、現在時刻が事前空調開始時刻になると空調部（２）の空調制御を開始するステップとを含む。
係るステップを有することにより、この空調装置の制御方法は、ユーザ自身が出発時刻を設定しなくても、状況に応じた適切なタイミングから事前空調を開始できる。
【００１５】
なお、上記各手段に付した括弧内の符号は、後述する実施形態に記載の具体的手段との対応関係を示す一例である。
【図面の簡単な説明】
【００１６】
【図１】本発明の一つの実施形態による空調装置の概略構成図である。
【図２】図１に示した空調装置の制御部の機能ブロック図である。
【図３】事前空調開始時刻を決定するために使用される確率モデルの一例を示す図である。
【図４】本発明の実施形態に係る空調装置の学習処理のフローチャートである。
【図５】本発明の実施形態に係る空調装置の事前空調処理のフローチャートである。
【発明を実施するための形態】
【００１７】
以下、本発明の一つの実施形態による車両用空調装置について説明する。
本発明の一つの実施形態による車両用空調装置は、車両周囲の状態を表す状態情報を確率モデルに入力して出発時刻を推定することにより、状況に応じて出発時刻が変動する場合でも、適切なタイミングで事前空調を実施するものである。なお、以下では、この空調装置は、バッテリから供給される電気を用いてモータを駆動することにより走行する電気自動車、または内燃機関による動力をバッテリの充電にのみ使用し、モータの動力により走行するハイブリッドカーに搭載されるものとして説明する。しかし、本発明に係る車両用空調装置は、内燃機関により走行し、かつ、走行中に内燃機関の動力を用いて発電機を駆動することにより、空調装置その他の機器に電気を供給するバッテリを充電する車両にも搭載可能である。
【００１８】
図１は、本発明の一つの実施形態に係る空調装置１の全体構成を示す概略構成図である。図１に示すように、空調装置１は、車両１０に搭載され、主に機械的構成からなる空調部２と、車両に関する状態情報を取得するための情報取得部３と、操作部として機能する操作パネル４と、空調装置１の各部を制御する制御部５を有する。
【００１９】
空調部２は、車内の空気または車外から取り入れた空気を冷却し、または暖めた空調空気を車内に供給する。そのために、空調部２は、例えば、車内または車外から空気を取り入れるための吸気口およびブロアファンと、取り入れられた空気と冷媒との間で熱交換するための冷凍サイクル（例えば、コンプレッサ、レシーバ、膨張弁、エバポレータなどで構成される）と、冷凍サイクルを逆転可能とするように冷凍サイクルに接続される四方弁と、熱交換された空調空気を車内に送出するための吹き出し口を有する。
また空調部２は、四方弁を有する代わりに、ラジエータの冷却水を用いて取り入れた空気を暖房するヒータコアと、ヒータコアを通過した空気とヒータコアを迂回した空気の混合比率を調整して空調空気を得るためのエアミックスドアを有してもよい。
なお、空調部２として、車載用空調装置に使用される周知の様々な構成を採用することができるため、ここでは、空調部２の構造の詳細な説明を省略する。
【００２０】
情報取得部３は、車両周囲の状況に関する状態を表す各種の状態情報を取得する少なくとも一つのセンサを有する。本実施形態では、情報取得部３が有する代表的なセンサとして、内気温センサ、外気温センサ、日射センサ及びレインセンサがある。内気温センサは、例えば、ハンドル近傍のインストルメントパネルなどにアスピレータとともに設置され、車室内の温度（内気温）Trを測定する。また、外気温センサは、例えば、車両前方のラジエターグリルに設置され、車室外の温度（外気温）Tamを測定する。さらに、日射センサは、例えば、車室内のフロントガラス近傍に取り付けられ、車室内に照りつける日射光の強さ（日射量）Sを測定する。レインセンサも、例えば、フロントガラスに取り付けられ、フロントガラスに付着した雨滴の有無を検知する。
【００２１】
さらに情報取得部３は、ナビゲーションシステムなどの車載機器をセンサとして有してもよい。例えば、ナビゲーションシステムは、車両の現在位置、周辺地域情報、Ｇｂｏｏｋ情報などの位置情報を状態情報として取得してもよい。
また、車両１０の電子制御ユニット（以下ＥＣＵと呼ぶ）７も情報取得部３に含まれるものとし、ＥＣＵ７から曜日、現在時刻などの時間情報を状態情報として取得してもよい。
情報取得部３は、車両１０の走行中、定期的（例えば、１０分毎、３０分毎など）に一つ以上の状態情報を取得する。あるいは、情報取得部３は、車両１０が始動されたとき（すなわち、車両１０のイグニッションスイッチがＯＮになったとき）、あるいは停止されたとき（すなわち、車両１０のイグニッションスイッチがＯＦＦになったとき）に一つ以上の状態情報を取得してもよい。さらに情報取得部３は、後述する事前空調開始処理の実行中にも一つ以上の状態情報を定期的に取得する。なお、本実施形態では、イグニッションスイッチは、単に車両１０を起動するためのスイッチとして機能する。そして、イグニッションスイッチがＯＮにされることにより、ユーザは車両１０を走行させることが可能となり、一方、イグニッションスイッチがＯＦＦにされることにより、ユーザは車両１０を走行させることができなくなる。
そして、情報取得部３は、その取得された状態情報をコントロールエリアネットワーク（ＣＡＮ）のような車載通信規格に従ってデータ通信する、車両１０内に設置された車内通信回線６を介して制御部５へ渡す。
【００２２】
操作パネル４は、空調装置１に対する設定操作を行うための操作部であり、例えば、空調装置１の設定情報を調整するための各種のスイッチと、設定情報を表示するための表示部などを有する。そして操作パネル４は、ユーザが空調装置１に対して何等かの設定を変更する操作（例えば、設定温度を変える、風量または風向きを調整する、内気循環モードまたは外気導入モードに設定する等）を行ったことを検知すると、その操作内容を表す信号を制御部５へ送信する。例えば、設定情報には、車内の設定温度Tset、風量W、吸気設定モード（内気循環モードまたは外気導入モード）、風向き設定などが含まれる。
【００２３】
制御部５は、ユーザによって設定された設定値に従って車室内の温度を適切に保つよう空調装置１を制御する。また制御部５は、ユーザが車両１０に乗車するよりも前の一定期間中、車室内を空調するように空調装置１を制御する。すなわち、制御部５は、空調装置１に事前空調を実施させる。
図２は、空調装置１の制御部５の機能ブロック図である。
制御部５は、図示していない１個もしくは複数個のプロセッサ及びその周辺回路（図示せず）と、電気的に書き換え可能あるいは書き換え不可能な不揮発性半導体メモリ、揮発性半導体メモリを有する記憶部５１と、車内通信回線６に制御部５を接続する車内通信インターフェース部５２とを有する。
【００２４】
記憶部５１は、制御部５で実行されるプログラム、そのプログラムが使用する各種設定パラメータなどを記憶する。また記憶部５１は、事前空調の開始タイミングの決定に用いられる確率モデルの構造、及びその確率モデルで用いられるパラメータを記憶する。さらに記憶部５１は、確率モデルの学習に用いられる、状態情報の組を学習データセットとして記憶する。
【００２５】
車内通信インターフェース部５２は、車内通信回線６を介して情報取得部３の各センサから状態情報を取得する。また車内通信インターフェース部５２は、空調装置１及び車両１０を駆動するためのモータに電気を供給するバッテリ８の残量を検出するバッテリセンサ９から、そのバッテリ８の残量を表す信号を取得する。なお、バッテリ８は、例えば、リチウムイオン蓄電池、ニッケル・水素蓄電池あるいは鉛蓄電池の何れかにより構成される。またバッテリセンサ９は、例えば、電圧計あるいは電流計若しくはその組み合わせにより構成され、バッテリ８から放電される電気の電圧あるいは電流を計測することにより、バッテリ残量を算出する。
【００２６】
さらに、制御部５は、制御部５が有するプロセッサ上で実行されるコンピュータプログラムによって実現される機能モジュールとして、出発時刻推定部５３、事前空調開始時刻決定部５４、空調制御部５５、学習データ蓄積部５６及び学習部５７を有する。
【００２７】
出発時刻推定部５３は、車両１０が走行を開始する出発時刻を、確率モデルに基づいて推定する。なお、出発時刻は、イグニッションスイッチがＯＮにされた時刻、あるいは、車両１０のドアの鍵が解錠された時刻、あるいは、車両１０の車速センサにより検知された車速が０でなくなった時刻の何れにより特定されてもよい。
本実施形態では、確率モデルとして、ベイジアンネットワークを用いた。ベイジアンネットワークは、複数の事象の確率的な因果関係をモデル化するものであり、各ノード間の伝播を条件付き確率で求める、非循環有向グラフで表されるネットワークである。なお、ベイジアンネットワークの詳細については、本村陽一、岩崎弘利著、「ベイジアンネットワーク技術」、初版、電機大出版局、２００６年７月、繁桝算男他著、「ベイジアンネットワーク概説」、初版、培風館、２００６年７月、又は尾上守夫監修、「パターン識別」、初版、新技術コミュニケーションズ、２００１年７月などに開示されている。
【００２８】
出発時刻推定部５３は、車両１０が駐車され、車両１０のイグニッションスイッチがＯＦＦに設定されている間、あるいは、後述する推定開始時刻の以後であってイグニッションスイッチがＯＮになるか事前空調が開始されるまでの間、定期的（例えば、１５分間隔）に状態情報を確率モデルに入力する。そして出発時刻推定部５３は、確率モデルにより算出された、車両１０が走行中である確率が最初に所定の閾値Th1以上となる時刻を出発時刻として推定する。なお、閾値Th1は、車両１０が走行中であることが高確率であることを示す値、例えば、0.8に設定される。
【００２９】
図３に、本実施形態において使用される確率モデルの一例を示す。図３に示す確率モデル３００は、出発時刻の推定に使用され、車両１０が走行中である確率を出力する。そのために、確率モデル３００は、４個の入力ノード３０１〜３０４と、１個の出力ノード３０５を有し、各入力ノードがそれぞれ出力ノード３０５に接続されている。また、各入力ノード３０１〜３０４には、入力される状態情報として、それぞれ、曜日（x1）、時刻（x2）、出発地（x3）及び雨滴の有無（x4）が与えられる。そして、出力ノード３０５は、車両１０が走行中である確率P(x5=True|x1,x2,x3,x4)及び車両１０が駐車中である確率P(x5=False|x1,x2,x3,x4)を出力する。なお、P(x5=False|x1,x2,x3,x4)は、(1-P(x5=True|x1,x2,x3,x4))と等しい。
【００３０】
図３に示す条件付確率表（以下、ＣＰＴという）３１１〜３１４は、それぞれ、入力ノード３０１〜３０４に対応し、入力される状態情報に対して入力ノード３０１〜３０４が出力する事前確率を規定する。またＣＰＴ３１５は、出力ノード３０５に対応し、出力ノード３０５が出力する確率を、各入力ノードに入力される状態情報の値の組ごとに割り当てられた条件付き確率分布として規定する。
【００３１】
出発時刻推定部５３は、図３に示した確率モデル３００を使用して出発時刻を推定する場合、情報取得部３から取得した状態情報のうち、曜日、現在時刻、車両１０の現在地及び雨滴の有無から、確率モデル３００の各入力ノードに入力される値を決定する。その際、出発時刻推定部５３は、入力ノード３０３に入力される時刻の値を、ＣＰＴ３０３に規定された各区分の時刻のうち、現在時刻に事前空調が行われる最長期間に相当する期間を加えた時刻よりも後で、最も早い時刻とする。例えば、事前空調が行われる最長期間が３０分である場合、出発時刻推定部５３は、現在時刻が４時１５分であるとき、入力ノード３０３に入力される時刻を５時とし、現在時刻が５時４５分であるとき、入力ノード３０３に入力される時刻を７時とする。
【００３２】
例えば、曜日が平日（x1=1）、時刻が５時（x2=1）、出発地がユーザの自宅（x3=1）、雨滴有り（x4=1）であれば、車両１０が走行中である確率P(x5=True|x1=x2=x3=x4=1)は、ＣＰＴ３１５より、0.0となる。同様に、曜日が平日（x1=1）、出発地がユーザの自宅（x3=1）、雨滴有り（x4=1）であり、時刻が６時（x2=２）、７時（x2=３）の場合に、車両１０が走行中である確率P(x5=True|x1=x3=x4=1,x2=2)、P(x5=True|x1=x3=x4=1,x2=3)は、それぞれ、0.8、1.0となる。したがって、確率P(x5=True|x1=x3=x4=1,x2=2)が閾値Th1以上となるので、出発時刻推定部５３は、６時を出発時刻として推定する。
【００３３】
また、図３に示した確率モデル３００のように、確率モデルに入力される状態情報として、車両１０のＥＣＵあるいはその他の車載機器を起動しなければ取得できない状態情報が使用されることもある。例えば、確率モデル３００では、雨滴の有無を検知するために雨滴センサを動作させる必要がある。そしてこれらの機器を動作させるためには、バッテリからこれらの機器へ電力を供給する必要がある。しかし、車両１０のバッテリが充電中でなければ、出発時刻の推定のためだけにこれらの機器を動作させることは、バッテリの電力消費を抑制するため、避けることが好ましい。
そこで、出発時刻推定部５３は、出発時刻推定のための確率モデルの入力ノードに入力される状態情報のうち、最後に車両１０のイグニッションキーがＯＦＦにされたときに取得される状態情報のみを用いて、出発時刻の推定を開始する時刻である推定開始時刻を決定してもよい。
【００３４】
そのために、出発時刻推定部５３は、出発時刻推定のための確率モデルの入力ノードのうち、車両１０のＥＣＵ７が停止されている間は取得不能な状態情報に関する入力ノードについて、その入力ノードに対応するＣＰＴを参照することにより、その取得不可能な状態情報の事前確率を求める。そして出発時刻推定部５３は、その事前確率と、イグニッションスイッチが最後にＯＦＦにされたときに取得された状態情報とを用いて、確率伝播法により、複数の時刻において車両１０が走行中である確率を算出する。出発時刻推定部５３は、その確率が所定の閾値Th2を超える最初の時刻を決定する。そして出発時刻推定部５３は、その時刻よりも、所定時間前の時刻を推定開始時刻とする。この所定時間は、事前空調が実施される最長の期間と同程度か、その期間に複数回の出発時刻推定に要する期間を加えた期間となるように設定される。なお、一部の状態情報が未知である場合において車両１０が走行中である確率の精度は、全ての状態情報が既知である場合において車両１０が走行中である確率の精度よりも低い。そこで閾値Th2は、閾値Th1よりも低い値、例えば、0.5に設定される。
【００３５】
例えば、図３に示した確率モデル３００が使用される場合、入力ノード３０４に入力される状態情報である雨滴の有無は、車両１０のイグニッションキーがＯＦＦにされている間は取得不能である。そこで出発時刻推定部５３は、入力ノード３０４については、ＣＰＴ３０４に規定される事前確率P(x4=1)（雨滴有り）、P(x4=2)（雨滴無し）を使用して、各出発時刻に対する、車両１０が走行中である確率を算出する。
例えば、曜日が平日（x1=1）、出発地がユーザの自宅（x3=1）であり、時刻が６時（x2=2）の場合に、車両１０が走行中である確率P(x5=True|x1=x3=1,x2=2,x4)は、ＣＰＴ３１４及びＣＰＴ３１５から以下のように算出される。
P(x5=True|x1=x3=1,x2=2,x4)
= P(x5=True|x1=x3=1,x2=2,x4=1)P(x4=1) + P(x5=True|x1=x3=1,x2=2,x4=2)P(x4=2)
= 0.8・0.5 + 0.6・0.5 = 0.7
同様に、曜日が平日（x1=1）、出発地がユーザの自宅（x3=1）であり、時刻が５時（x2=1）、７時（x2=3）の場合に、車両１０が走行中である確率P(x5=True|x1=x2=x3=1,x4)、P(x5=True|x1=x3=1,x2=3,x4)は、それぞれ、0.0、1.0となる。
したがって、６時に対応する確率P(x5=True|x1=x3=1,x2=2,x4)が最初に閾値Th2以上となるので、出発時刻推定部５３は、６時の所定時間前の時刻、例えば５時を推定開始時刻とする。
【００３６】
出発時刻推定部５３は、推定開始時刻が設定されている場合、ＥＣＵ７から取得した時刻がその推定開始時刻になると、上記の出発時刻推定処理を開始する。
出発時刻推定部５３は、推定した出発時刻を事前空調開始時刻決定部５４に通知する。
【００３７】
事前空調開始時刻決定部５４は、出発時刻推定部５３により推定された出発時刻よりも事前空調実施期間前の時刻を、事前空調を開始する事前空調開始時刻として決定する。例えば、事前空調実施期間は、予め定められた一定期間（例えば、１０分間あるいは３０分間）に設定されてもよい。あるいは、事前空調実施期間は、設定温度Tsetと内気温Trとの差及び日射センサにより検出される日射量Sに基づいて決定される可変期間であってもよい。この場合、設定温度Tsetと内気温Trとの差及び日射量Sと、事前空調実施期間との関係を表した参照テーブルが予め作成され、記憶部５１に記憶される。なお、設定温度Tsetと内気温Trとの差及び日射量Sと、事前空調実施期間の関係は、内気温Trが設定温度Tsetと略等しくなるまでの期間を、例えば、空調装置１の特性を考慮したシミュレーション、あるいは実験により求めることで、予め決定される。そして事前空調開始時刻決定部５４は、内気温センサ及び日射センサからの信号に基づいて、設定温度Tsetと内気温Trとの差及び日射量Sを求め、そして参照テーブルを参照することにより、事前空調実施期間を決定する。
さらに、空調装置１が複数の空調モードの何れかにしたがって空調運転可能であれば、記憶部５１は、それぞれの空調モードに対応する参照テーブルを記憶する。なお、空調モードは、例えば、最大パワーで車室内を冷房または暖房する急速冷暖房モード、最もエネルギー効率が良い方法で車室内を冷房または暖房する省エネモードなどが含まれる。そして事前空調開始時刻決定部５４は、前回空調装置１が停止されたときの空調モードに対応する参照テーブルにしたがって事前空調実施期間を決定してもよい。
【００３８】
さらに、事前空調開始時刻決定部５４は、バッテリセンサから受け取ったバッテリの残量から、記憶部５１に記憶されている走行予定距離に対応する推定バッテリ使用量を引いた電力量である予備バッテリ量と、事前空調実施期間中に消費される電力量を表す事前空調使用量とを比較する。そして事前空調開始時刻決定部５４は、予備バッテリ量が事前空調使用量以下である場合、事前空調開始時刻を設定しない、すなわち、空調装置１は事前空調を実施しない。あるいは、事前空調開始時刻決定部５４は、事前空調使用量が予備バッテリ量よりも少なくなるまで、事前空調開始時刻を遅くするように修正してもよい。なお、特定の事前空調実施期間に対応する事前空調使用量は、例えば、空調装置１の特性を考慮したシミュレーション、あるいは実験により求めることにより決定される。そして事前空調実施期間と事前空調使用量の関係を表した参照テーブルが記憶部５１に記憶され、事前空調開始時刻決定部５４は、その参照テーブルを参照することにより、事前空調実施期間に対応する事前空調使用量を決定できる。
【００３９】
あるいは、事前空調開始時刻決定部５４は、予備バッテリ量が事前空調使用量以下である場合、バッテリ残量を維持すること、または事前空調を実施することの何れを優先するかを示す蓄電空調優先度にしたがって、事前空調を実施するか否かを決定してもよい。
この場合、蓄電空調優先度を示す優先度フラグが記憶部５１に記憶される。初期設定では、優先度フラグの値は、バッテリ残量を維持することを示す値に設定される。そして予備バッテリ量が事前空調使用量以下となる度、制御部５は、ユーザが車両１０のイグニッションスイッチをＯＮにした時点で、バッテリ残量を維持することと、事前空調を実施することの何れを優先するかを問いかけるメッセージを操作パネル４の表示部に表示させる。その際、ユーザが操作パネル４の操作スイッチを操作することで、バッテリ残量を維持することまたは事前空調を実施することを選択すると、制御部５は、その選択に従って優先度フラグの値を更新する。
【００４０】
さらに、制御部５は、バッテリ残量を維持することと、事前空調を実施することの何れを優先するかの問いかけに対するユーザの操作履歴を記憶部５１に記憶しておき、その操作履歴に従って、優先度フラグの値を決定してもよい。例えば、制御部５は、所定回数（例えば、１０回）連続してユーザが事前空調を実施することを選択する操作を行った場合、以後予備バッテリ量が事前空調使用量以下となっても、どちらを優先するかの問いかけを行わず、事前空調を実施してもよい。すなわち、事前空調開始時刻決定部５４は、予備バッテリ量が事前空調使用量以下となっても、決定した事前空調開始時刻を取り消さない。
事前空調開始時刻決定部５４は、決定した事前空調開始時刻を制御部５に通知する。
【００４１】
空調制御部５５は、各設定情報及び各センサから取得したセンシング情報をＲＡＭから読み出し、それらの値に基づいて、空調部２を制御する。特に空調制御部５５は、事前空調開始時刻決定部５４によって決定された事前空調開始時刻になると、車両１０のイグニッションスイッチがＯＮにされていなくても、空調制御を開始する。すなわち、空調制御部５５は、事前空調開始時刻になると事前空調を開始する。
【００４２】
具体的には、空調制御部５５は、設定温度Tset及び各温度センサ及び日射センサの測定信号に基づいて、各吹き出し口から送出される空調空気の必要吹出口温度（空調温度Tao）を決定する。その後、空調制御部５５は、その空調空気の温度が空調温度Taoとなるように、冷凍サイクルを構成するコンプレッサを駆動する。
【００４３】
さらに空調制御部５５は、空調温度Tao、設定温度Tsetなどに基づいて、風量及び各吹き出し口から送出される空調空気の風量比を求める。そして空調制御部５５は、決定した風量に対応するように、空調部２のブロアファンの回転数を調整する。また空調制御部５５は、その風量比に対応するように、各吹き出し口の開度を決定する。さらにまた、空調制御部５５は、空調温度Tao、設定温度Tset、内気温Trなどに基づいて、空調装置１が内気吸気口から吸気する空気と外気吸気口から吸気する空気の比率を設定する。
【００４４】
空調制御部５５は、空調温度Taoを決定するために、例えば、設定温度Tset、内気温Tr、外気温Tam及び日射量Sと空調温度Taoの関係を表した温調制御式を使用する。また空調制御部５５は、風量Wを決定するために、例えば、設定温度Tset、内気温Tr、外気温Tam及び日射量Sと風量Wの関係を表した風量制御式を使用する。あるいは、空調制御部５５は、空調温度Tao及び風量Wを決定するために、周知の様々な制御方法を用いることができる。同様に、空調制御部５５は、風量比の決定、コンプレッサのＯＮ／ＯＦＦ制御、吸気比の決定についても、周知の様々な制御方法を用いることができる。そのため、それらの制御方法の詳細な説明は省略する。
【００４５】
学習データ蓄積部５６は、出発時刻推定部５３にて出発時刻を推定するために使用される確率モデルを学習するために用いられる状態情報の値の組を学習データセットとして記憶部５１に記憶する。そのために、学習データ蓄積部５６は、車両１０のイグニッションスイッチがＯＮになっている間、定期的（例えば、１０分毎あるいは３０分毎）に、確率モデルの入力ノードに入力される各状態情報の値を取得する。そして学習データ蓄積部５６は、それら状態情報の値の組に、車両１０が走行中であることを関連付けて一つの学習データセットとし、記憶部５１に記憶する。
また学習データ蓄積部５６は、出発時刻推定部５３が出発時刻を推定するために取得した状態情報の値の組も、学習データセットとして記憶部５１に記憶してもよい。この場合、車両１０のイグニッションスイッチはＯＦＦとなっているので、それら状態情報の値の組に、車両１０が駐車中であることを関連付けて一つの学習データセットとする。
さらに学習データ蓄積部５６は、学習データセットの数が確率モデルを適切に学習するために不十分である場合、車両１０が駐車中である間も、定期的に状態情報を取得し、その状態情報の値の組に車両１０が駐車中であることを関連付けて学習データセットとし、その学習データセットを記憶部５１に保存してもよい。
さらにまた、学習データ蓄積部５６は、レインセンサから取得される雨滴の有無など、ＥＣＵを起動しなければ取得不能な状態情報を、車両１０のイグニッションスイッチがＯＦＦになっている間に対応する学習データセットとして取得するために、イグニッションスイッチがＯＮになっている直近のその状態情報の値、あるいは他の情報から推定してもよい。例えば、学習データ蓄積部５６は、イグニッションスイッチがＯＦＦとなっている間の所定時刻における雨滴の有無を、イグニッションスイッチが最後にＯＦＦにされたとき、あるいはその所定時刻後に最初にイグニッションスイッチがＯＮにされたときの雨滴の有無の値で代用してもよい。また、学習データ蓄積部５６は、車両１０が駐車された地区のその所定時刻における降水確率を、例えばナビゲーションシステムから取得し、その降水確率を、学習データセットに含める状態情報の値としてもよい。
【００４６】
例えば、図３に示した確率モデル３００が使用される場合、学習データ蓄積部５６は、ＥＣＵから取得される曜日及び時刻と、ナビゲーションシステムから取得される出発地と、レインセンサから取得される雨滴の有無を一つの学習データセットとする。なお、出発地は、車両１０の走行中において取得される学習データセットについては、イグニッションスイッチがＯＮにされたときの車両１０の位置であり、車両１０のイグニッションスイッチが次にＯＦＦにされるまでの期間中、同じ位置が学習データセットに記録される。一方、出発地は、車両１０の駐車中において取得される学習データセットについては、イグニッションスイッチが最後にＯＦＦにされたときの車両１０の位置である。
【００４７】
さらに、学習データ蓄積部５６は、各曜日の各出発時における走行予定距離を推定するために、一旦イグニッションスイッチがＯＮにされてから、ＯＦＦにされるまでの期間に車両１０が走行した距離をＥＣＵから取得する。そして学習データ蓄積部５６は、その走行距離を、出発時、すなわち、イグニッションスイッチがＯＮにされた時刻及び曜日と、出発地に関連付けて記憶部５１に記憶する。
学習データ蓄積部５６は、例えば、イグニッションスイッチがＯＦＦにされたとき、曜日、時刻、出発地ごとに、記憶部５１に記憶されている走行距離の平均値、中央値あるいは最頻値などの統計的代表値を算出する。そして学習データ蓄積部５６は、その統計的代表値を、対応する曜日、時刻、出発地における走行予定距離とする。そして学習データ蓄積部５６は、求めた走行予定距離を、対応する曜日、時刻、出発地と関連付けて記憶部５１に記憶する。
【００４８】
学習部５７は、記憶部５１に蓄積された学習データセットを用いて、出発時刻推定部５３で使用される確率モデルを学習する。そこで、学習部５７は、学習データセットから、確率モデルの入力ノードに入力されるパラメータとなる状態情報の値の区分ごとに、車両１０が走行中である出現頻度と車両１０が駐車中である出現頻度を表したクロス集計表（以下、ＣＴＴという）を作成する。そして学習部５７は、各状態情報の値の区分に含まれる、車両１０が走行中である出現頻度を、車両１０が走行中である出現頻度と車両１０が駐車中である出現頻度の合計で除することにより、入力パラメータとなる状態情報の値の区分ごとに、車両１０が走行中である確率を求める。そして、学習部５７は、求めた確率に従って各ノードに対応するＣＰＴを更新する。
【００４９】
なお、ユーザによって、出発時刻の決定に関与する状態情報が異なる可能性がある。そこで学習部５７は、入力パラメータの異なる複数の確率モデルに対して、上記と同様にそれぞれＣＰＴを求めてもよい。そして学習部５７は、それら複数の確率モデルに対して情報量基準を算出し、その情報量基準の値が最適となる確率モデルを、出発時刻を推定するための確率モデルとして選択してもよい。この場合において、学習部５７は、情報量基準として、ＡＩＣ（赤池情報量基準）、ベイズ情報量基準（ＢＩＣ）、竹内情報量基準（ＴＩＣ）、最小記述長（ＭＤＬ）基準などを用いることができる。
【００５０】
さらに、学習部５７は、他の公知の様々な方法を用いて、確率モデルを学習してもよい。例えば、学習部５７は、Ｋ２アルゴリズムや遺伝的アルゴリズムを用いてベイジアンネットワークのグラフ構造の探索を行うようにしてもよい。例えば遺伝的アルゴリズムを用いる場合には、各ノード間の接続の有無を各要素とする遺伝子を複数準備する。そして、学習部５７は、上記の情報量基準を用いて各遺伝子の適応度を計算する。その後、学習部５７は、適応度が所定以上の遺伝子を選択し、交叉、突然変異などの操作を行って次の世代の遺伝子を作成する。学習部５７は、このような操作を複数回繰り返して、最も適合度の高い遺伝子を選択する。そして学習部５７は、選択された遺伝子で記述されるグラフ構造をベイジアンネットワークに使用する。
学習部５７は、学習した確率モデルのグラフ構造、各ノードに対応するＣＰＴなどを記憶部５１に記憶する。
【００５１】
以下、図４に示したフローチャートを参照しつつ、本発明の一つの実施形態に係る空調装置１の学習処理について説明する。なお、この学習処理は、制御部５により実行される。
【００５２】
先ず、情報取得部３により、一つ以上の状態情報が取得され、制御部５に渡される（ステップＳ１０１）。制御部５の学習データ蓄積部５６は、取得された状態情報のうち、出発時刻の推定に使用される確率モデルに入力される状態情報の値の組を選択する。そして学習データ蓄積部５６は、選択された状態情報の値の組に、その値の組の取得時において車両１０が走行中か駐車中かを表す走行状態情報を関連付けて学習データセットとし、その学習データセットを記憶部５１に保存する（ステップＳ１０２）。
【００５３】
次に、制御部５は、状態情報取得時の直前あるいは直後の所定期間にイグニッションスイッチがＯＮからＯＦＦに操作されたか否か判定する（ステップＳ１０３）。この所定期間は、状態情報取得間隔とすることができる。なお、制御部５は、車両１０のＥＣＵからイグニッションスイッチが操作されたことを示す信号を受信することにより、イグニッションスイッチがどのように操作されたかを判定することができる。そして制御部５の学習部５７は、イグニッションスイッチがＯＮからＯＦＦに操作された場合、記憶部５１に記憶されている学習データセットを用いて出発時刻の推定に使用される確率モデルを学習することにより、その学習モデルを更新する（ステップＳ１０４）。そして学習部５７は、更新された確率モデルに関する各ノードのＣＰＴに示された確率値などのパラメータを記憶部５１に記憶する。
【００５４】
さらに、制御部５の出発時刻推定部５３は、出発時刻の推定に使用される確率モデルに入力される状態情報のうち、イグニッションスイッチＯＦＦ時に取得可能な状態情報のみをその確率モデルに入力することで、複数の異なる時刻に対して、車両１０が走行中である確率をそれぞれ算出する（ステップＳ１０５）。そして出発時刻推定部５３は、車両１０が走行中である確率が所定の閾値Th2よりも高くなる時刻のうちの最も早い時刻を決定する。そして出発時刻推定部５３は、その最も早い時刻よりも所定時間前の時刻を推定開始時刻とする（ステップＳ１０６）。出発時刻推定部５３は、曜日ごとに推定開始時刻を求め、その推定開始時刻を対応する曜日とともに記憶部５１に記憶する。
ステップＳ１０６の後、あるいは、ステップＳ１０３にてイグニッションスイッチがＯＮからＯＦＦに操作されていない場合、制御部５は学習処理を終了する。制御部５は、上記の学習処理を状態情報の取得間隔で定期的に繰り返す。
【００５５】
以下、図５に示したフローチャートを参照しつつ、本発明の一つの実施形態に係る空調装置１の事前空調処理について説明する。なお、この事前空調処理は、制御部５により実行され、上記の学習処理と独立して動作する。
【００５６】
図５に示すように、制御部５は、曜日及び現在時刻を車両１０のＥＣＵ７から取得する（ステップＳ２０１）。そして制御部５の出発時刻推定部５３は、現在時刻が、取得した曜日により特定される推定開始時刻以降か否か判定する（ステップＳ２０２）。現在時刻が推定開始時刻よりも前であれば、所定期間の経過後、制御をステップＳ２０１に戻す。
一方、現在時刻が推定開始時刻以降であれば、制御部５は、車両１０のＥＣＵに起動信号を送信して、ＥＣＵを起動させる（ステップＳ２０３）。そして制御部５は、出発時刻の推定に使用される確率モデルに入力される全ての状態情報を情報取得部３から取得する（ステップＳ２０４）。
【００５７】
次に出発時刻推定部５３は、得られた状態情報を確率モデルに入力することにより、推定対象となる時刻において車両１０が走行中である確率を算出する（ステップＳ２０５）。そして出発時刻推定部５３は、その確率が所定の閾値Th1以上か否か判定する（ステップＳ２０６）。その確率が閾値Th1未満である場合、制御部５は、所定の時間間隔が経過した後、制御をステップＳ２０４に戻す。
一方、ステップＳ２０６において、求めた確率が閾値Th1以上である場合、出発時刻推定部５３は、推定対象となった時刻を出発時刻と推定する（ステップＳ２０７）。
【００５８】
次に、制御部５の事前空調開始時刻決定部５４は、事前空調実施期間を決定し、推定した出発時刻よりもその事前空調実施期間だけ前の時刻を事前空調開始時刻とする（ステップＳ２０８）。そして事前空調開始時刻決定部５４は、予備バッテリ量と事前空調使用量に基づいて事前空調開始時刻を修正する（ステップＳ２０９）。
その後、事前空調開始時刻になると、制御部５の空調制御部５５は、空調部２を動作させて、事前空調を開始する（ステップＳ２１０）。そして空調制御部５５は、イグニッションスイッチがＯＮにされた時か、出発時刻の何れか早い方まで、事前空調を実施する。
【００５９】
以上説明してきたように、本発明の一つの実施形態に係る車両用空調装置は、車両周囲の状態を表す状態情報の値の組を学習データセットとして定期的に記録し、その学習データセットに基づいて、所定の時刻において車両が走行中である確率を算出する確率モデルを学習する。この車両用空調装置は、車両の駐車中に取得される状態情報をその確率モデルに入力することで、所定時刻において車両が走行中となる確率を算出し、その確率が高くなる最初の時刻を出発時刻として推定する。そしてこの車両用空調装置は、推定した出発時刻に応じた事前空調開始時刻を設定するので、状況に応じて出発時刻が変動しても、ユーザが事前に出発予定時刻を設定しなくても、適切なタイミングで事前空調を開始することができる。
【００６０】
なお、本発明は上記の実施形態に限定されるものではない。例えば、上記の実施形態では、制御部の出発時刻推定部は、２層のネットワーク構成を有する確率モデルを使用した。しかし出発時刻推定部は、中間層を含む３層以上のネットワーク構成を有する確率モデルを使用してもよい。また、入力ノードの数、入力ノードに与えられる状態情報の種類及び状態情報の値の区分も、上記の例に限られない。
さらに、出発時刻推定部は、出力ノードが複数の出発時刻に関する確率を出力する確率モデルを使用してもよい。この場合、出発時刻推定部は、各出発時刻について算出された確率のうち、最も高い確率が上記の閾値Th1以上であれば、その最も高い確率に対応する出発時刻に決定すればよい。またこのような確率モデルが使用される場合、制御部の学習データ蓄積部は、実際の出発時刻（例えば、車両のイグニッションスイッチがＯＮにされたとき）に取得された状態情報の値の組に、その出発時刻を関連付けて学習データセットとする。
さらに、出発時刻推定部は、確率モデルを使用する代わりに、学習データセットとして蓄積された状態情報の値の組に基づいて、k-NN法を適用することにより出発時刻を推定してもよい。
【００６１】
また上記のように、学習データ蓄積部が、実際の出発時刻とその出発時刻時に取得された状態情報の値の組を学習データセット（すなわち、過去出発時刻情報）として記憶する場合、出発時刻推定部は、過去一定期間（例えば、過去５日間あるいは過去一ヶ月間）に記憶された過去出発時刻情報群に示される出発時刻の履歴に基づいて、事前空調開始時刻を決定するための出発時刻を推定してもよい。例えば、出発時刻推定部は、現在時刻において取得された状態情報と最も近い状態情報を含む過去出発時刻情報のうち、現時刻よりも後で、かつ、現時刻と最も近い出発時刻を抽出して、事前空調開始時刻を決定するための出発時刻の推定値とする。例えば、過去一定期間の出発時刻の履歴として、（１）「雨滴：有、出発時刻：６時」、（２）「雨滴：無、出発時刻：７時」、（３）「雨滴：有、出発時刻：19時」という３組の過去出発時刻情報が記憶されていたとする。この場合において、事前空調を実施しようとする際の状態情報が、「雨滴：有」であり、現時刻が５時であれば、出発時刻推定部は、上記の３組の過去出発時刻情報のうち、「雨滴：有」となっている過去出発時刻情報（１）及び（３）を抽出する。そして出発時刻推定部は、このうち、現時刻に最も近い出発時刻が示されている、過去出発時刻情報（１）から、出発時刻を６時と推定する。
なお、過去出発時刻情報に含まれる状態情報が３値以上の値を有し、かつ数値でない場合には、現在時刻において取得される状態情報と過去出発時刻情報に含まれる状態情報の距離を定義するために、予め状態情報の各値間の距離を定義したテーブルを記憶部に記憶しておく。そして出発時刻推定部は、そのテーブルを参照して、現在時刻において取得される状態情報と過去出発時刻情報に含まれる状態情報間の距離を求める。例えば、そのテーブルにおいて、状態情報が曜日である場合、同じ曜日間の距離を０、互いに平日でかつ異なる曜日間の距離を１、平日と休日間の距離を２と定義しておけばよい。そして現在時刻において取得される状態情報が、例えば月曜日であれば、出発時刻推定部は、過去出発時刻情報のうち、状態情報として月曜日が記録されている過去出発時刻情報を最も優先して抽出し、該当する過去出発時刻情報がなければ、次に状態情報として火曜日〜金曜日の何れかが記録されている過去出発時刻情報を抽出する。
また、過去出発時刻情報に複数の状態情報が含まれる場合、出発時刻推定部は、現在時刻において取得された複数の状態情報のそれぞれについて、過去出発時刻情報に含まれる対応する状態情報との距離を求め、その距離の合計値が最も小さい過去出発時刻情報を選択する。
【００６２】
また、制御部の事前空調開始時刻決定部は、予備バッテリ量が事前空調使用量以下である場合、ユーザが所持する携帯端末に対して、事前空調を実施するか否かの問い合わせ信号を送信してもよい。そして事前空調開始時刻決定部は、その携帯端末から事前空調の実施を許可する信号を受信した場合にのみ、事前空調を開始するようにしてもよい。
この場合、制御部は、公衆無線回線を通じて携帯端末と通信するための通信部をさらに有する。そのような通信部は、例えば、携帯端末との間での通信セッションの確立あるいは終了処理、送信する信号の符号化処理、変調処理、及び受信した信号の復調処理、復号処理などを行う通信処理用回路を有する。そして通信部は、公衆無線回線に対して無線信号を送信し、かつ公衆無線回線から信号を受信するためのアンテナと接続される。
【００６３】
また、本発明に係る空調装置が内燃機関により走行し、かつ、走行中に内燃機関の動力を用いて発電機を駆動することにより、空調装置その他の機器に電気を供給する蓄電池を充電する車両に搭載される場合、バッテリ残量が極端に少ない場合を除いて事前空調の実施によってバッテリ残量が不足することはない。そこでこの場合、制御部の事前空調開始時刻決定部は、予備バッテリ量にかかわらず、事前空調開始時刻を修正しなくてもよい。そして制御部の空調制御部は、現在時刻が事前空調開始時刻になれば、予備バッテリ量にかかわらず事前空調を開始する。
同様に、車両用空調装置が電気自動車またはハイブリッドカーに搭載されている場合であっても、その車両の駐車中にバッテリが充電されていれば、事前空調開始時刻決定部は、予備バッテリ量にかかわらず、事前空調開始時刻を修正しなくてもよい。そして空調制御部は、現在時刻が事前空調開始時刻になれば、予備バッテリ量にかかわらず事前空調を開始してもよい。
【００６４】
さらに、制御部の学習部は、出発時刻の推定に用いる確率モデルの学習を、図４に示した動作フローのステップＳ１０４のように、イグニッションスイッチがＯＦＦにされる度に行うのではなく、予め定められた期間ごと、あるいは、前回の学習以降に蓄積された学習データセットの数が所定数に達する度に行ってもよい。
上記のように、当業者は、本発明の範囲内で様々な修正を行うことが可能である。
【符号の説明】
【００６５】
１    空調装置
２    空調部
３    情報取得部
４    操作パネル
５    制御部
６    車内通信回線
７    電子制御ユニット（ＥＣＵ）
８    バッテリ
９    バッテリセンサ
１０    車両
５１    記憶部
５２    車内通信インターフェース部
５３    出発時刻推定部
５４    事前空調開始時刻決定部
５５    空調制御部
５６    学習データ蓄積部
５７    学習部
【図１】
2010234905.tif 000003
【図２】
2010234905.tif 000004
【図３】
2010234905.tif 000005
【図４】
2010234905.tif 000006
【図５】
2010234905.tif 000007